(57)【要約】【課題】本発明は、変倍レンズによる撮影倍率の変更を瞬時に行うことができるエクステンダ装置を提供することを目的とする。【解決手段】本発明のエクステンダ装置１０によれば、撮影倍率を１倍から２倍に切り換える場合、カメラマン２２は、エクステンダ切替レバー３６を操作するのではなく、解除レバー３７を、スプリング８６の付勢力に抗してスライドさせる。これにより、規制ピン８４はケーシング５２の背面５２Ａからケーシング５２内に没入するので、規制ピン８４によるエクステンダ切替レバー３６の位置規制が解除され、これにより、変倍レンズ５０がコイルばね８０の付勢力によって、退避位置から進出位置に瞬時に移動する。したがって、解除レバー３７のスライド操作、すなわちワンタッチ操作によって変倍レンズ５０を瞬時に移動させることができるので、変倍レンズ５０による撮影倍率の変更を瞬時に行うことができる。【選択図】  図３
2005351926.tif 000002
【特許請求の範囲】
【請求項１】
レンズ装置の撮影光軸に対して変倍レンズを進退移動させることにより撮影倍率を可変するエクステンダ装置において、
前記エクステンダ装置のケーシングには、回動操作されることにより前記変倍レンズを撮影光軸に対して進退移動させるレバーと、前記変倍レンズを前記撮影光軸に対する進出位置又は退避位置に向けて付勢する付勢部材と、前記付勢部材の付勢力に抗して前記レバーを進出位置又は退避位置に位置規制する規制部材と、スライド操作されることにより前記規制部材を前記位置規制する位置から退避させて規制部材による前記レバーの位置規制を解除する規制解除部材とが設けられていることを特徴とするエクステンダ装置。
【請求項２】
前記規制解除部材は、該規制解除部材を被写体側から見て前記ケーシングの右側面に取り付けられていることを特徴とする請求項１に記載のエクステンダ装置。
【発明の詳細な説明】
【技術分野】
【０００１】
本発明はエクステンダ装置に係り、特に撮影光軸に対する変倍レンズの進出移動又は退避移動をワンタッチ操作によって行えるようにしたエクステンダ装置に関する。
【背景技術】
【０００２】
ＥＮＧカメラ等のテレビカメラに使用されるレンズ装置においては、一般にエクステンダ装置が内蔵されたズームレンズ装置が使用されている（例えば、特許文献１) 。エクステンダ装置は、撮影レンズ系の特にリレーレンズ部のアフォーカル部に変倍レンズを進出又は退避させることにより撮影倍率を可変するものであり、その操作は電動によるリモコン式、又はエクステンダ装置のケーシングに設けられた操作ツマミをカメラマンが回動操作することによって行われている。この操作ツマミは、複数のギヤからなる動力伝達機構を介して変倍レンズの駆動ギアに連結されるとともに、一般に約９０°の回動範囲をもって構成されている。その９０°の回動範囲において、操作ツマミが一方端側に回動されることにより、前記動力伝達機構を介して変倍レンズが進出位置に位置され、また、操作ツマミが他方端側に回動されることにより、前記動力伝達機構を介して変倍レンズが退避位置に位置される。
【特許文献１】特開昭６３−１５８６７号公報
【発明の開示】
【発明が解決しようとする課題】
【０００３】
しかしながら、前記従来のエクステンダ装置は、エクステンダ装置による撮影倍率を瞬時に変更したい場合、操作ツマミを９０°回動させなければならないため、撮影倍率を瞬時に変更することが難しいという欠点があった。また、操作ツマミは、特許文献１にも示されているように、一般にエクステンダ装置のケーシングの背面側に取り付けられており、ズームレンズ装置のフォーカスリングやズームリングからかなり離れた位置に配置されている。このためフォーカスリングやズームリングをカメラマンが一方の手（例えば左手）で操作しながら、同じ手で操作ツマミを操作することが困難であった。
【０００４】
本発明はこのような事情に鑑みてなされたもので、変倍レンズによる撮影倍率の変更を瞬時に行うことができるエクステンダ装置を提供することを目的とする。
【課題を解決するための手段】
【０００５】
本発明は、前記目的を達成するために、レンズ装置の撮影光軸に対して変倍レンズを進退移動させることにより撮影倍率を可変するエクステンダ装置において、前記エクステンダ装置のケーシングには、回動操作されることにより前記変倍レンズを撮影光軸に対して進退移動させるレバーと、前記変倍レンズを前記撮影光軸に対する進出位置又は退避位置に向けて付勢する付勢部材と、前記付勢部材の付勢力に抗して前記レバーを進出位置又は退避位置に位置規制する規制部材と、スライド操作されることにより前記規制部材を前記位置規制する位置から退避させて規制部材による前記レバーの位置規制を解除する規制解除部材とが設けられていることを特徴とする。
【０００６】
請求項１に記載の発明によれば、規制解除部材をスライド操作してレバーの位置規制を解除すると、付勢部材の付勢力によって変倍レンズが退避位置から進出位置、又は進出位置から退避位置に向けて瞬時に移動する。したがって、本発明によれば、規制解除部材のスライド操作、すなわちワンタッチ操作によって変倍レンズを瞬時に移動させることができるので、変倍レンズによる撮影倍率の変更を瞬時に行うことができる。
【０００７】
請求項２に記載の発明は、請求項１に記載の発明において、前記規制解除部材は、該規制解除部材を被写体側から見て前記ケーシングの右側面に取り付けられていることを特徴としている。
【０００８】
ＥＮＧカメラのような肩載せタイプのテレビカメラを操作するカメラマンは、通常カメラマンの右肩にテレビカメラを乗載し、右手でテレビカメラを支持するとともに右目でファインダを覗きながら左手でレンズ装置のフォーカスリング、ズームリング、アイリスリング等の操作リングを回動操作する。すなわち、レンズ装置はカメラマンの左手で操作されるものなので、エクステンダ装置の規制解除部材においても、カメラマンの左手で操作可能な位置であって、前記操作リングを操作しながらでも無理な手の姿勢をとることなく容易に操作可能な位置に配置されることが操作上好ましい。
【０００９】
上記観点から本願請求項２に記載の発明によれば、規制解除部材を被写体側から見てケーシングの右側面に取り付けた。これにより、規制解除部材はカメラマンから見てレンズ装置の左側に位置するので左手で操作することができる。また、側面配置のため前記操作リングを操作しながらでも無理な手の姿勢をとることなく規制解除部材を操作することができる。エクステンダ装置は、一般にレンズ装置の後部に設けられているので、エクステンダ装置の規制解除部材は左手の親指で操作され、他の指によって各操作リングが操作される。
【発明の効果】
【００１０】
本発明に係るエクステンダ装置によれば、規制解除部材のスライド操作、すなわちワンタッチ操作によって変倍レンズを瞬時に移動させることができるので、変倍レンズによる撮影倍率の変更を瞬時に行うことができる。
【発明を実施するための最良の形態】
【００１１】
以下、添付図面に従って本発明に係るエクステンダ装置の好ましい実施の形態を詳説する。
【００１２】
図１は、実施の形態のエクステンダ装置１０を備えたテレビカメラ装置１２の側面図である。エクステンダ装置１０は、レンズ装置１４の後部に設けられるとともに、手振れ等の振れに起因するピントのずれを補正するための防振レンズ装置１６を介してカメラ２０のマウント部１８に接続されている。
【００１３】
図１に示すカメラ２０は、肩乗せタイプのＥＮＧカメラである。図１において二点鎖線で示すカメラマン２２は、カメラ２０の下部に形成された片乗せ部２４をカメラマン２２の右肩に乗載し、右手でカメラ２０を支持するとともに右目でファインダ２６を覗きながら、左手２８によってレンズ装置１４、エクステンダ装置１０、及び防振レンズ装置１６を操作する。
【００１４】
レンズ装置１４は、例えばズーム比が１０〜２２倍クラスのＥＮＧレンズ装置であり、フォーカスリング３０、ズームリング３２、アイリスリング３４等の操作リング、エクステンダ切替レバー（レバー）３６、及び解除レバー（規制解除部材）３７等の各種操作部材がカメラマン２２の左手２８の各々の指によって操作される。すなわち、フォーカスリング３０を回動操作することによりフォーカスレンズ（不図示）が光軸に沿って前後移動され、被写体の焦点が調節される。また、ズームリング３２を回動操作することによりズームレンズ（不図示）が光軸に沿って前後移動され、焦点距離が調節される。更に、アイリスリング３４を回動することにより、虹彩絞り機構（不図示）の開口径が変更され、絞り値が調節される。
【００１５】
防振レンズ装置１６は、縦長に形成された本体ケーシング３８を有し、この本体ケーシング３８に補正レンズ（不図示）が内蔵されている。また、本体ケーシング３８の被写体から見て右側面の下部にはリモートコントロール用のコネクタ４０が下方に向けて突設されている。このコネクタ４０にリモコン装置（不図示）のケーブルを接続することにより、防振レンズ装置１６のＯＮ／ＯＦＦ、及び防振モードの切り替え等がカメラマン２２によってリモコン操作される。また、符号４２は、防振レンズ装置１６のＯＮ／ＯＦＦを行う防振スイッチであり、この防振スイッチ４２も、カメラマン２２の左手２８の親指２９によって操作可能な位置に配置される。更にまた、本体ケーシング３８の上面には、防振レンズ装置１６のＯＮ時に点灯されるランプ４４が設けられ、このランプ４４を視認することにより防振レンズ装置１６のＯＮ／ＯＦＦ状態を確認することができる。
【００１６】
実施の形態のエクステンダ装置１０は、レンズ装置１４の後段に配置された不図示のリレーレンズのアフォーカル部の光軸Ｐに対して、変倍レンズ５０を進出（図２参照）又は退避（図３参照）させることにより撮影倍率を２倍と１倍とに切り換える装置である。
【００１７】
変倍レンズ５０は、エクステンダ装置１０のケーシング５２に収納配置され、このケーシング５２には、変倍レンズ５０の退避時に変倍レンズ５０を収納する膨出部５４が、ケーシング５２を被写体側から見たときにケーシング５２の右側面に突出形成されている。また、変倍レンズ５０はレンズ枠体５６に保持され、このレンズ枠体５６にはアーム５８が突出形成されるとともに、アーム５８の端部には筒状の軸受部６０が一体に形成されている。この軸受部６０は、ケーシング５２に光軸Ｐと平行に配設された軸６２に軸支されている。したがって、変倍レンズ５０は、軸６２を中心に回動されることにより図２に示した進出位置と図３に示した退避位置との間で往復移動される。なお、ケーシング５２には、図２に示した進出位置に変倍レンズ５０を位置決めするためのストッパ６４が図４の如く設けられている。また、図３に示した退避位置に変倍レンズ５０を位置決めするためのストッパ６６が図５の如く設けられている。
【００１８】
図２〜図５の如く、レンズ枠体５６の軸受部６０の端部には駆動ギヤ６８が固定され、この駆動ギヤ６８にはギヤ７０、及びギヤ７２がそれぞれ噛合されている。ギヤ７０は、ケーシング５２に光軸Ｐと平行に配設された軸７４に軸支される。また、ギヤ７０には、その裏面側にピン７６が突設され、このピン７６とケーシング５２に突設されたピン７８との間にコイルばね（付勢部材）８０が掛けられている。このコイルばね８０の付勢力によってギヤ７０は矢印Ａ方向、すなわち、図４上において反時計回り方向に付勢されている。ギヤ７０に伝達された前記矢印Ａ方向の付勢力は、駆動ギヤ６８に伝達され、これにより駆動ギヤ６８が図４上において矢印Ｂで示す時計回り方向に付勢されるので、変倍レンズ５０がレンズ枠体５６を介して進出方向に付勢されている。更にまた、駆動ギヤ６８に伝達された矢印Ｂで示す付勢力は、ギヤ７２に伝達され、これによりギヤ７２が図４上において矢印Ｃで示す反時計回り方向に付勢される。
【００１９】
ギヤ７２は、ケーシング５２に光軸Ｐと平行に配設された軸８２に固定される。軸８２の端部は、ケーシング５２の背面から突出され、この突出部にエクステンダ切替レバー３６の環状基端部３６Ａが固定されている。したがって、エクステンダ切替レバー３６は、ギヤ７２に伝達された前記付勢力により、ギヤ７２と共に反時計回り方向に付勢されるので、変倍レンズ５０を進出位置に位置させる図２、図４に示した回動位置に向けて付勢されている。
【００２０】
エクステンダ切替レバー３６は、環状基端部３６Ａから延設されたアーム部３６Ｂと、このアーム部３６Ｂの先端に形成された指掛け部３６Ｃとによって構成されている。また、図６、図７に示すようにアーム部３６Ｂの上面には、ケーシング５２の背面５２Ａ側に向けて下方に傾斜したテーパ面３６Ｄが形成されるとともに、アーム部３６Ｂの下面には水平なストッパ面３６Ｅが形成される。
【００２１】
ところで、ケーシング５２の背面５２Ａには規制ピン（規制部材）８４が、背面５２Ａに形成された開口部５３を介して外部に突出されている。この規制ピン８４は、エクステンダ切替レバー３６のアーム部３６Ｂの動作範囲内に配置されている。また、規制ピン８４は、ケーシング５２の背面５２Ａとリブ部５２Ｂとの間に配置されたスプリング８６の付勢力によって図６上で矢印Ｄで示す、開口部５３から突出する方向に付勢される。更にまた、規制ピン８４は、規制ピン８４の基端部に一体成形されたフンランジ部８８が、背面５２Ａの内壁面５２Ｃに当接することにより、開口部５３からの突出量が規制されている。この規制ピン８４は、図２、図４、図６で示した進出位置状態において、図６の如くエクステンダ切替レバー３６のアーム部３６Ｂのテーパ面３６Ｄに当接され、また、図３、図５、図７で示した退避位置状態において、図７の如くエクステンダ切替レバー３６のアーム部３６Ｂのストッパ面３６Ｅに当接される。この時、エクステンダ切替レバー３６は、コイルばね８０の付勢力によって図６の進出位置に戻ろうとするが、規制ピン８４がストッパ面３６Ｅに当接されているため、その戻り動作が規制されている。
【００２２】
規制ピン８４は、フランジ部８８と一体に形成された軸部９０を有し、この軸部９０がスプリング８６に挿通されている。また、軸部９０は、光軸Ｐと平行に配置されるとともに、その基端部には、軸部９０と直交方向に延設された連結部材９２を介して解除レバー３７が取り付けられている。解除レバー３７は、ケーシング５２の膨出部５４（図２参照）の下側に光軸Ｐと平行に形成されたスリット９６を介して外部に配設されるとともに、スリット９６に沿ってスライド自在に取り付けられている。この解除レバー３７を、スプリング８６の付勢力に抗して図７の矢印Ｅ方向にスライドさせることにより、規制ピン８４をケーシング５２の背面５２Ａからケーシング５２内に没入させることができる。
【００２３】
次に、このように構成されたエクステンダ装置１０の作用について説明する。
【００２４】
まず、２倍から１倍に撮影倍率を切り換える場合、エクステンダ切替レバー３６を図４の進出位置から図５の退避位置に向けて回動する。エクステンダ切替レバー３６を回動し始めると、図６に示した規制ピン８４がアーム部３６Ｂのテーパ面３６Ｄに押されて没入することにより、エクステンダ切替レバー３６は支障なく図５の退避位置に向けて回動される。この回動動作によって、ギヤ７２が時計回り方向、及び駆動ギヤ６８が反時計回り方向に回動するので、駆動ギヤ６８と一体的な変倍レンズ５０が図５の退避位置に位置する。これにより、撮影倍率が２倍から１倍に切り換えられる。また、この時、エクステンダ切替レバー３６は、コイルばね８０の付勢力によって図６の進出位置に戻ろうとするが、図７の二点鎖線で示すように、規制ピン８４がストッパ面３６Ｅに当接されているため、その戻り動作が規制されている。
【００２５】
次に、１倍から２倍に撮影倍率を切り換える場合、カメラマン２２は、エクステンダ切替レバー３６を操作するのではなく、解除レバー３７を、スプリング８６の付勢力に抗して図７の矢印Ｅ方向にスライドさせる。これにより、規制ピン８４はケーシング５２の背面５２Ａからケーシング５２内に没入するので、規制ピン８４によるエクステンダ切替レバー３６の位置規制が解除され、これにより、変倍レンズ５０がコイルばね８０の付勢力によって、図５の退避位置から図４の進出位置に瞬時に移動する。
【００２６】
したがって、実施の形態のエクステンダ装置１０によれば、解除レバー３７のスライド操作、すなわちワンタッチ操作によって変倍レンズ５０を瞬時に移動させることができるので、変倍レンズ５０による撮影倍率の変更を瞬時に行うことができる。
【００２７】
ところで、図１に示したＥＮＧカメラのような肩載せタイプのテレビカメラ装置１２を操作するカメラマン２２は、通常カメラマン２２の右肩にカメラ２０を乗載し、右手でカメラ２０を支持するとともに右目でファインダ２６を覗きながら左手２８でレンズ装置１４のフォーカスリング３０、ズームリング３２、アイリスリング３４等の操作リングを回動操作する。すなわち、レンズ装置１４はカメラマン２２の左手２８で操作されるものなので、エクステンダ装置１０においても、カメラマン２２の左手２８で操作可能な位置であって、前記操作リングを操作しながらでも無理な手の姿勢をとることなく操作可能な位置に配置されることが操作上好ましい。また、瞬時に撮影倍率を変更したい場合にはなおさらのことである。
【００２８】
そこで、実施の形態のエクステンダ装置１０によれば、ケーシング５２を被写体側から見て解除レバー３７を右側面の膨出部５４に取り付けた。これにより、解除レバー３７は、図１の如くカメラマン２２から見てレンズ装置１４の左側に位置するので左手２８の親指２９で容易に操作することができる。また、右側面配置のため前記操作リングを操作しながらでも無理な手の姿勢をとることなく解除レバー３７を容易に操作することができるので、撮影倍率を１倍から２倍に瞬時に変更することができる。
【００２９】
なお、実施の形態では、コイルばね８０によって変倍レンズ５０を進出方向に付勢したが、これに限定されるものではなく、変倍レンズ５０を退避方向に付勢してもよい。この場合、解除レバー３７を規制解除方向に操作すると、変倍レンズ５０は進出位置から退避位置に瞬時に移動する。
【図面の簡単な説明】
【００３０】
【図１】実施の形態のエクステンダ装置が取り付けられたテレビカメラ装置の側面図
【図２】変倍レンズが進出位置に位置した時のエクステンダ装置の透視図
【図３】変倍レンズが退避位置に位置した時のエクステンダ装置の透視図
【図４】変倍レンズが進出位置に位置した時のレバーの配置図
【図５】変倍レンズが退避位置に位置した時のレバーの配置図
【図６】変倍レンズが進出位置に位置した時のレバーと規制ピンとの位置関係を示した断面図
【図７】変倍レンズが退避位置に位置した時のレバーと規制ピンとの位置関係を示した断面図
【符号の説明】
【００３１】
１０…エクステンダ装置、１２…テレビカメラ装置、１４…レンズ装置、１６…防振レンズ装置、２０…カメラ、２２…カメラマン、３６…エクステンダ切替レバー、３７…解除レバー、５０…変倍レンズ、５２…ケーシング、５４…膨出部、５６…レンズ枠体、６８…駆動ギヤ、７０、７２…ギヤ、８０…コイルばね、８４…規制ピン
【図１】
2005351926.tif 000003
【図２】
2005351926.tif 000004
【図３】
2005351926.tif 000005
【図４】
2005351926.tif 000006
【図５】
2005351926.tif 000007
【図６】
2005351926.tif 000008
【図７】
2005351926.tif 000009